(57)【特許請求の範囲】
【請求項１】
複数の単相整流ブリッジ回路であって、前記複数の単相整流ブリッジ回路の第１の入力端が交流電源の各相の出力端に１対１で接続され、第２の入力端が一緒に接続され、前記交流電源の各相出力に対してそれぞれ処理を行って、処理後の各相出力に対して逆変換処理を行った後に電力網にフィードバックする複数の単相整流ブリッジ回路と、
複数の三相完全制御ブリッジ式回路であって、各前記三相完全制御ブリッジ式回路の２つの入力端がそれぞれ各前記整流ブリッジ回路の２つの出力端に接続され、又は、各前記三相完全制御ブリッジ式回路の２つの入力端がそれぞれインダクタンスを介して各前記整流ブリッジ回路の２つの出力端に接続される複数の三相完全制御ブリッジ式回路と、
を備えることを特徴とする電気エネルギー転換装置。
【請求項２】
二次側がマルチサーキット三相巻線である変圧器を更に備え、前記三相完全制御ブリッジ式回路の出力端がそれぞれ前記マルチサーキット三相巻線に接続されることを特徴とする請求項１に記載の装置。
【請求項３】
３つの出力端がそれぞれ直列接続インダクタンスを介して又はそれぞれ直列接続インダクタンスとキャパシタンスを介して、前記三相完全制御ブリッジ式回路の３つの出力端に接続され、又は前記マルチサーキット三相巻線に直接的に接続されるパルス幅変調三相インバータブリッジ回路を更に少なくとも１つ備えることを特徴とする請求項２に記載の装置。
【請求項４】
複数セットの整流回路シリーズであって、各セットの整流回路シリーズが複数の整流ブリッジ回路を備え、前記複数の整流ブリッジ回路が第１の入力端と第２の入力端を介して順次に直列接続され、片端に位置する１つの整流ブリッジ回路の第１の入力端が前記整流回路シリーズの第１の入力端として、他端に位置する１つの整流ブリッジ回路の第２の入力端が前記整流回路シリーズの第２の入力端とし、複数セットの整流回路シリーズの複数の第１の入力端が交流電源の各相の出力端に１対１で接続され、複数の第２の入力端が一緒に接続され、前記交流電源の各相出力に対してそれぞれ処理を行って、処理後の各相出力に対して逆変換処理を行った後に電力網にフィードバックする複数セットの整流回路シリーズと、
複数セットの三相完全制御ブリッジ式回路であって、各セットの前記三相完全制御ブリッジ式回路の２つの入力端がそれぞれ各前記整流ブリッジ回路の２つの出力端に接続され、又は、各前記三相完全制御ブリッジ式回路の２つの入力端がそれぞれインダクタンスを介して各前記整流ブリッジ回路の２つの出力端に接続される複数セットの三相完全制御ブリッジ式回路と、
を備えることを特徴とする電気エネルギー転換装置。
【請求項５】
二次側がマルチサーキット三相巻線である変圧器を更に備え、前記三相完全制御ブリッジ式回路の出力端がそれぞれ前記マルチサーキット三相巻線に接続されることを特徴とする請求項４に記載の装置。
【請求項６】
３つの出力端がそれぞれ直列接続インダクタンスを介して又はそれぞれ直列接続インダクタンスとキャパシタンスを介して、前記三相完全制御ブリッジ式回路の３つの出力端に接続され、又は前記マルチサーキット三相巻線に直接的に接続されるパルス幅変調三相インバータブリッジ回路を更に少なくとも１つ備えることを特徴とする請求項５に記載の装置。
【発明の詳細な説明】
【技術分野】
【０００１】
本発明は電力電子技術分野に関し、具体的には、電気エネルギー転換装置に関する。
【背景技術】
【０００２】
風力発電、太陽エネルギー発電、潮力発電等の再生可能なエネルギー源の発電の利用がますます人々に注目されている。一般に、これら新エネルギー発電システムは、発電設備が分散し、単一の機器の容量が小さく、分布面積が広く、出力した電圧電流が不安定であることが一般的な特徴である。どのようにしてこれら再生可能なエネルギー源発電設備が生じた電気エネルギーを効果的に、信頼性よく、低コストで電力網にフィードバックし、再生可能なエネルギー源発電設備が生じた電気エネルギーを工業、民間用の直接的に使用可能な三相交流へ転換することは、現在我が国及び世界範囲内の解決に迫られる問題となる。
【０００３】
従来の技術における１種の風力発電電気エネルギーフィードバック設備が交流励磁巻き線型ローター双フィードバックモーター変速定周波風力発電システムを用いる。このシステムでは、ローター側に位置する電力変換器を用いて、双フィードバックモーターの交流励磁電流を調節する。発電機固定子巻線が電気エネルギーを出力し、且つ電力網に直接的にフィードバックする。双フィードバック発電機システムの特徴を原因で、一般に、例えば、四象限運転可能な交−直−交双レベルトランスデューサーのような、低圧、且つ四象限運転可能なパワー変換器が必要となる。図１は従来の技術における四象限運転可能な交−直−交双レベルトランスデューサーの原理を示す図である。図１に示すように、このスキームのトランスデューサーは、スリップパワーのみを処理するが、一般に、定格パワーが発電機容量の約三分の一であって、低圧電流変換器に属する。よって、変換器のコスト、体積が大幅に低減される。しかし、このスキームは、発電機が巻き線型ローターを用いることとスリップリングで交流励磁を行うことによる発電機の体積及びコストの増加、及びスリップリングの使用による発電機の故障率及び維持費用の向上という問題がある。
【０００４】
従来の技術におけるまた１種の風力発電電気エネルギーフィードバック設備が永久磁性発電機変速定周波風力発電システムを用いる。このスキームでは、ファン羽根車が永久磁性発電機を駆動して回転させ、出力した電気エネルギーがパワー変換器により周波数変換変調を経って、電力網にマッチする三相交流電気となり、そして、電力網にフィードバックされる。よって、変速定周波発電が実現される。図２は従来の技術における１種の永久磁性発電機変速定周波風力発電システムの原理を示す図である。図３は従来の技術におけるまた１種の永久磁性発電機変速定周波風力発電システムの原理を示す図である。図２、図３に示すように、このスキームが上記スキームにおける発電機の信頼性の問題を解決し、システム全体の運転故障率を低めた。しかし、このスキームでは、変換器パワーが発電機パワーに同一であり、且つ大量の電解コンデンサを用いる必要があるため、変換器コストが非常に高く、変換設備の体積が大きい。図４は従来の技術における電流型変換器を用いる変速定周波風力発電システムの原理を示す図である。図４に示すように、このシステムがパワーの半分制御可能な半導体素子サイリスタを用いる。この方式は、コストが低いが、網側調波による汚染が深刻であり、パワー因数が低く、それに、調波制御設備を余分に増加する必要があるので、総コストが高くなる。
【０００５】
関連技術スキームでは、再生可能なエネルギー源発電設備を含む発電設備が電力網に電気エネルギーをフィードバックする場合に、調波汚染が深刻で、パワー因数が低い問題が存在し、この問題に対して、現在、効果的な解決スキームがまだ提出されていない。
【発明の概要】
【発明が解決しようとする課題】
【０００６】
本発明は、従来の技術において発電設備が電力網に電気エネルギーをフィードバックする場合に存在する調波汚染が深刻で、パワー因数が低い、コストが高い問題を解決できる電気エネルギー転換装置を提供することを目的とする。
【課題を解決するための手段】
【０００７】
上記目的を実現するために、本発明の一方面によれば、電気エネルギー転換装置を提供した。
【０００８】
本発明の第１種の電気エネルギー転換装置は、複数の単相整流ブリッジ回路であって、前記複数の単相整流ブリッジ回路の第１の入力端が交流電源の各相の出力端に１対１で接続され、第２の入力端が一緒に接続される複数の単相整流ブリッジ回路と、複数の三相完全制御ブリッジ式回路であって、各前記三相完全制御ブリッジ式回路の２つの入力端がそれぞれ各前記整流ブリッジ回路の２つの出力端に接続され、又は、各前記三相完全制御ブリッジ式回路の２つの入力端がそれぞれインダクタンスを介して各前記整流ブリッジ回路の２つの出力端に接続される複数の三相完全制御ブリッジ式回路とを備える。
【０００９】
更に、本発明の該電気エネルギー転換装置が二次側がマルチサーキット三相巻線である変圧器を更に備え、前記三相完全制御ブリッジ式回路の入力端がそれぞれ前記マルチサーキット三相巻線に接続される。
【００１０】
更に、本発明の該電気エネルギー転換装置は、３つの出力端がそれぞれ直列接続インダクタンスを介して又はそれぞれ直列接続インダクタンスとキャパシタンスを介して、前記三相完全制御ブリッジ式回路の３つの出力端に接続され、又は前記マルチサーキット三相巻線に直接的に接続されるパルス幅変調三相インバータブリッジ回路を更に少なくとも１つ備える。
【００１１】
上記目的を実現するために、本発明の他方によれば、また１種の電気エネルギー転換装置を提供した。
【００１２】
本発明の該電気エネルギー転換装置は、複数セットの整流回路シリーズであって、各セットの整流回路シリーズが複数の整流ブリッジ回路を備え、前記複数の整流ブリッジ回路が第１の入力端と第２の入力端を介して順次に直列接続され、片端に位置する１つの整流ブリッジ回路の第１の入力端が前記整流回路シリーズの第１の入力端として、他端に位置する１つの整流ブリッジ回路の第２の入力端が前記整流回路シリーズの第２の入力端とし、複数の整流回路シリーズの複数の第１の入力端が交流電源の各相の出力端に１対１で接続され、複数の第２の入力端が一緒に接続される複数セットの整流回路シリーズと、複数セットの三相完全制御ブリッジ式回路であって、各セットの前記三相完全制御ブリッジ式回路の２つの入力端がそれぞれ各前記整流ブリッジ回路の２つの出力端に接続され、又は、各前記三相完全制御ブリッジ式回路の２つの入力端がそれぞれインダクタンスを介して各前記整流ブリッジ回路の２つの出力端に接続される複数セットの三相完全制御ブリッジ式回路とを備える。
【００１３】
更に、本発明の該電気エネルギー転換装置が二次側がマルチサーキット三相巻線である変圧器を更に備え、前記三相完全制御ブリッジ式回路の入力端がそれぞれ前記マルチサーキット三相巻線に接続される。
【００１４】
更に、本発明の該電気エネルギー転換装置は、３つの出力端がそれぞれ直列接続インダクタンスを介して又はそれぞれ直列接続インダクタンスとキャパシタンスを介して、前記三相完全制御ブリッジ式回路の３つの出力端に接続され、又は前記マルチサーキット三相巻線に直接的に接続されるパルス幅変調三相インバータブリッジ回路を更に少なくとも１つ備える。
【００１５】
本発明の技術スキームを応用し、発電設備が生じた三相交流電気の各相の出力に対してそれぞれ処理を行うことによって、発電設備の電流の波形因子を改善し、調波を低減し、パワー因数及び設備の利用率を向上した。サイリスタをパワー転換ユニットの主なスイッチ素子として用いることによって、コストが低く、信頼性が高いです。異なるレベルのサイリスタ三相完全制御ブリッジ式回路を直列接続することによって、異なるレベルの発電設備に適用でき、フィードバックパワー因数を向上できる。隔離変圧器の二次側のマルチサーキット巻線により、この装置を異なる電圧レベルの電力網にマッチさせることができる。電力網にフィードバックした電流の波形因子及びパワー因数を上げ、電力網に無効電力を伝送することができ、発電設備の出力端の電流及び電力網側電流の正弦度が高いです。転換効率が高く、信頼性がよく、寿命が長く及び普及しやすく、維持しやすい美点を有する。
【００１６】
ここで説明する図面は本発明を理解させるためのもので、本発明の一部を構成し、本発明における模式的な例とその説明と共に本発明を解釈し、本発明を不当に限定するのではない。図面において、
【図面の簡単な説明】
【００１７】
【図１】従来の技術における四象限運転可能な交−直−交双レベルトランスデューサーの原理を示す図である。
【図２】従来の技術における１種の永久磁性発電機変速定周波風力発電システムの原理を示す図である。
【図３】従来の技術におけるまた１種の永久磁性発電機変速定周波風力発電システムの原理を示す図である。
【図４】従来の技術における電流型変換器を用いる変速定周波風力発電システムの原理を示す図である。
【図５】本発明の第１実施形態による電気エネルギー転換装置における複数の単相整流ブリッジ回路の回路原理図である。
【図６】本発明の第１実施形態による電気エネルギー転換装置の回路原理図である。
【図７】本発明の第１実施形態による整流ブリッジ回路と三相完全制御ブリッジ式回路との間の直列接続インダクタンスの原理図である。
【図８】本発明の第１実施形態によるＰＷＭ三相インバータブリッジ回路とインダクタンスが接続される原理図である。
【図９】本発明の第２実施形態による電気エネルギーフィードバックシステムが多相出力交流電源が生じた電気エネルギーを電力網にフィードバックする接続方式の原理図である。
【図１０】本発明の第３実施形態による電気エネルギー転換装置の構造の原理図である。
【図１１】本発明の第３実施形態による電気エネルギー転換装置の整流回路シリーズの構造の原理図である。
【図１２】本発明の各実施形態によるＰＷＭ三相インバータブリッジ回路がＩＧＢＴを用いる原理図である。
【図１３】本発明の実施形態による分割型位相シフト巻線を用いる変圧器の原理図である。
【発明を実施するための形態】
【００１８】
以下、図面と実施形態を参照しながら、本発明を詳しく説明する。特に説明するのは、対立してない場合に、本案における実施形態同士における特徴が相互に組み合ってもよい。
【００１９】
図５は本発明の第１実施形態による電気エネルギー転換装置における単相整流ブリッジ回路の回路原理図である。
【００２０】
図５に示すように、本発明の第１実施形態の電気エネルギー転換装置が図５における点線フレーム５０の部分である。該電気エネルギー転換装置が３つの整流ブリッジ回路を備え、各整流ブリッジ回路が第１の入力端及び第２の入力端を備える。例えば、点線フレーム５１における整流ブリッジ回路では、第１の入力端及び第２の入力端がそれぞれＡ点及びＢ点である。図５に示すようなこの種の電気エネルギー転換装置では、３つの整流ブリッジ回路の第２の入力端が一緒に接続され、接続点が図に示すような点「Ｏ」である。図５における３つの整流ブリッジ回路の３つの第１の入力端が交流電源の三相の出力端に１対１で接続される。図５に交流電源５２を示したが、この交流電源が再生可能なエネルギー源発電システムの発電機であることができる。
【００２１】
図５の整流ブリッジ回路における整流部品がサイリスタを用いてもよいし、ダイオードを用いてもよい。図では、サイリスタを用いる場合を示した。図５に示すような電気エネルギー転換装置を用いると、交流電源の各相出力に対してそれぞれ処理を行うことができるため、処理後の各相出力に対して逆変換処理を行った後に電力網にフィードバックする場合、この交流電源が電力網に電気エネルギーをフィードバックする時に生じた調波汚染を低減し、且つこの交流電源が電力網にフィードバックした電気エネルギーのパワー因数を向上できる。
【００２２】
図５に示すような電気エネルギー転換装置を元に更に三相完全制御ブリッジ式回路を接続することができる。具体的には、図６に示すようです。図６は本発明の第１実施形態による１種の電気エネルギー転換装置の回路原理図である。図６では、各整流ブリッジ回路の出力端に三相完全制御ブリッジ式回路が接続され、この三相完全制御ブリッジ式回路がサイリスタ三相完全制御ブリッジ式回路でよい。三相完全制御ブリッジ式回路が接続された後、図６の電気エネルギー転換装置がその中の三相完全制御ブリッジ式回路を用いて交流電源５２が電力網にフィードバックする電気エネルギーを更に処理を行うことができ、電気エネルギー品質を向上できる。
【００２３】
図７は本発明の第１実施形態による整流ブリッジ回路と三相完全制御ブリッジ式回路との間にインダクタンスが直列接続される原理図である。図６の互いに接続される整流ブリッジ回路及び三相完全制御ブリッジ式回路は、それら間に、例えば、図７におけるインダクタンス７０のようなインダクタンスが直列接続されることができ、これで、整流ブリッジ回路の出力に対してろ過及び限流を行うことができる。
【００２４】
図６における電気エネルギー転換装置が少なくとも１つのパルス幅変調ＰＷＭ（Ｐｕｌｓｅ  Ｗｉｄｔｈ  Ｍｏｄｕｌａｔｉｏｎ）三相インバータブリッジ回路を増加することができる。図８に示すように、図８は本発明の第１実施形態によるＰＷＭ三相インバータブリッジ回路がインダクタンスに接続される原理図である。ＰＷＭ三相インバータブリッジ回路がフィルターキャパシタンス及びターンオフできる半導体素子を採用でき、その直流側にフィルターキャパシタンスを備え、交流側の三相出力端がそれぞれ３つのろ過及び限流用のインダクタンスに接続される。また、このインダクタンスにキャパシタンスを更に直列接続されてもよい。インダクタンス又はインダクタンス及びキャパシタンスが接続されるＰＷＭ三相インバータブリッジ回路が図６の電気エネルギー転換装置における三相完全制御ブリッジ式回路に接続され、これで、電力網に入力した電気エネルギーのパワー因数を更に補償し、且つこの電気エネルギーがもたらした調波汚染を更に低減できる。
【００２５】
図６の電気エネルギー転換装置を用いて電気エネルギーフィードバックを行う場合に、まずこの電気エネルギー転換装置を隔離変圧器に接続させてもよい。この変圧器の二次側がマルチサーキット三相巻線であるが、接続を行う時、マルチサーキット三相巻線における各路三相巻線を図６の電気エネルギー転換装置における三相完全制御ブリッジ式回路に接続させる。隔離変圧器の１本の三相巻線が１つ又は複数の三相完全制御ブリッジ式回路に接続されてもよい。隔離変圧器を用いる場合に、本実施形態におけるインダクタンス又はインダクタンス及びキャパシタンスが接続されたＰＷＭ三相インバータブリッジ回路がこの隔離変圧器の二次側のマルチサーキット三相巻線に１対１で接続されることができる。隔離変圧器を用いると、本実施形態の電気エネルギー転換装置が各種電圧レベルの電力網にマッチすることができ、且つ電力網にフィードバックする電流の波形因子及び電気エネルギーのパワー因数を向上できる。ＰＷＭ三相インバータブリッジ回路の交流側電流を調節することによって、隔離変圧器の一次側のパワー因数を向上し、且つ調波を低減できる。
【００２６】
以下、本発明の第２実施形態における電気エネルギーフィードバックシステムの構造を説明する。本発明の第２実施形態における電気エネルギーフィードバックシステムが多相出力交流電源が生じた電気エネルギーを電力網にフィードバックすることに用いられる。図９は本発明の第２実施形態による電気エネルギーフィードバックシステムが多相出力交流電源が生じた電気エネルギーを電力網にフィードバックする接続方式の原理図である。図９には六相の交流発電機９０を示した。図９における、例えば点線フレーム９１のような各点線フレームが、１つの電気エネルギーフィードバックユニットを示すが、その構造が、本発明の第１実施形態における電気エネルギー転換装置の構造を用いることができる。例えば実線フレーム９２のような各実線フレームが、本実施形態における１つの整流ブリッジ回路、又は一緒に接続される整流ブリッジ回路及び三相完全制御ブリッジ式回路を示す。図には六相の交流発電機９０の１セットの三相出力端９０１、９０２及び９０３を示したが、それらが電気エネルギー転換装置９０における整流ブリッジ回路（図にはこの整流ブリッジの具体的な構造を示さなかった）の３つの第１の入力端９０１、９０２及び９０３に１対１で接続される。図９の接続方式により、本実施形態における電気エネルギーフィードバックシステムは、更なる多い相の交流発電機が生じた電気エネルギーを電力網にフィードバックすることに用いられる。
【００２７】
以下、本発明の第３実施形態の電気エネルギー転換装置の構造を説明する。図１０は本発明の第３実施形態による電気エネルギー転換装置構造の原理図である。図１０に示すように、電気エネルギー転換装置が３つの整流シリーズ及び三相完全制御ブリッジ回路を備える。図１０における点線フレーム１０１、１０２及び１０３がそれぞれ整流回路シリーズ及び三相完全制御ブリッジ式回路を示すが、各整流回路シリーズの構造が図１１における点線フレーム１１１に示した。図１１は本発明の第３実施形態による電気エネルギー転換装置における整流回路シリーズの構造の原理図である。図１１における整流回路シリーズが複数の整流ブリッジ回路を備え、これら整流ブリッジ回路が入力端を介して順次に直列接続される。片端の整流回路の第１の入力端、即ち図におけるＡ点が、整流回路の第１の入力端とし、他端の整流回路の第２の入力端、即ち図におけるＢ点が、整流回路シリーズの第２の入力端とする。図１０には上記Ａ点とＢ点の位置を示した。図１０では、３つの整流回路シリーズの３つの第１の入力端が三相交流電源の三相出力端に１対１で接続され、３つの第２の入力端が一緒に接続され、即ち図１０における点「Ｏ」である。
【００２８】
本発明の第３実施形態における電気エネルギー転換装置では、整流ブリッジ回路がダイオード整流回路又はサイリスタ整流回路であることができる。本発明の第１実施形態における電気エネルギー転換装置に類似するように、本発明の第３実施形態における電気エネルギー転換装置では、各整流ブリッジ回路の出力端が三相完全制御ブリッジ式回路に更に接続されることができ、且つ整流ブリッジ回路が三相完全制御ブリッジ式回路に接続される場合に、両者間にインダクタンスが直列接続されてもよい。
【００２９】
本発明の第３実施形態における電気エネルギー転換装置が少なくとも１つのパルス幅変調ＰＷＭ三相インバータブリッジ回路を備えることができ、接続方式が第１実施形態に類似するように、ＰＷＭ三相インバータブリッジ回路の出力端がインダクタンスに直列接続され又はインダクタンス及びキャパシタンスに直列接続された後に三相完全制御ブリッジ式回路の出力端に接続される。二次側がマルチサーキット三相巻線である変圧器を用いて本実施形態における電気エネルギー転換装置を電力網に接続させる場合は、これら三相巻線が三相完全制御ブリッジ式回路に接続され、且つＰＷＭ三相インバータブリッジ回路の接続方式がその出力端にインダクタンスが直列接続され又はインダクタンス及びキャパシタンスが直列接続された後に変圧器のマルチサーキット三相巻線に１対１で接続されることができる。隔離変圧器の１本の三相巻線が１つ又は複数の三相完全制御ブリッジ式回路に接続されてもよい。
【００３０】
本発明の第４実施形態では、第３実施形態における電気エネルギー転換装置を電気エネルギーフィードバックユニットとして用いて電気エネルギーフィードバックシステムを構成する。このような複数の電気エネルギーフィードバックユニットは、第２実施形態における接続方式に類似する方式によって接続される。即ち、図９に示すように、各電気エネルギーフィードバックユニットにおいて、３つの整流回路の３つの第１の入力端が多相出力交流電源の１セットの三相出力端に１対１で接続される。
【００３１】
本発明の各実施形態では、ＰＷＭ三相インバータブリッジ回路におけるターンオフできる半導体素子が絶縁ゲートバイポーラトランジスタＩＧＢＴ（Ｉｎｓｕｌａｔｅｄ  Ｇａｔｅ  Ｂｉｐｏｌａｒ  Ｔｒａｎｓｉｓｔｏｒ）又は集積化ゲート整流型サイリスタＩＧＣＴ（Ｉｎｔｅｒｇｒａｔｅｄ  Ｇａｔｅ  Ｃｏｍｍｕｔａｔｅｄ  Ｔｈｙｒｉｓｔｏｒｓ）を用いることができるが、他のターンオフできる半導体素子を用いてよい。図１２は本発明の各実施形態においてＰＷＭ三相インバータブリッジ回路がＩＧＢＴを用いる原理図である。図１２に示すように、この回路が６つのＩＧＢＴを用いて両々直列接続されて３つのブリッジアームを形成し、そして３つのブリッジアームを並列接続させる。その直流側の正、負端がフィルターキャパシタンスに並列接続される。そして、６つのＩＧＢＴのＯＮ、ＯＦＦを制御することにより交流側の電流を制御する。
【００３２】
本発明の各実施形態では、二次側の巻線の短絡抵抗を対称に分布させるように、電気エネルギー転換装置と電力網とを接続させる変圧器は、一次側の巻線が複数の三相巻線が並列接続される分割型変圧器であることができる。しかし、この変圧器が二次側の巻線が位相シフト巻線を用いる位相シフト変圧器であってもよい。図１３に示すように、図１３は本発明の実施形態における分割型位相シフト巻線を用いる変圧器の原理図である。図１３における変圧器が複数セットの並列接続される一次側巻線を備えるが、マルチサーキット二次側巻線が辺延長三角形巻線又は屈曲位相シフト巻線を用いることができ、また、異なる二次側巻線が異なる位相シフト角に設定されることができる。分割型位相シフト変圧器を用いて電力網にフィードバックした電流の波形因子を上げ、調波を低減することができる。
【００３３】
以上の説明によれば、本発明実施形態の技術スキームを応用し、発電設備が生じた三相又は多相の交流電気の各相出力に対してそれぞれ処理を行うことによって、発電設備の電流の波形因子を改善し、調波を低減し、パワー因数及び設備の利用率を上げることができる。ダイオード又はサイリスタを整流部品として用い、及びサイリスタをパワー転換ユニットの主なスイッチ素子として用いることによって、コストが低く、信頼性が高い。異なるレベルのサイリスタ三相完全制御ブリッジ式回路を直列接続することによって、異なるレベルの発電設備に適用でき、フィードバックパワー因数を上げることができる。隔離変圧器の二次側のマルチサーキット巻線によって、この装置が異なる電圧レベルの電力網にマッチすることができる。電力網にフィードバックする電流の波形因子及びパワー因数を上げ、電力網に無効電力を伝送することができ、発電設備の出力端の電流及び電力網側の電流の正弦度が高いです。転換効率が高く、信頼性よく、寿命が長く及び普及しやすく、維持しやすい美点を有する。
【００３４】
以上は、本発明の好適な実施形態に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005614565.tif 000002
【図２】
0005614565.tif 000003
【図３】
0005614565.tif 000004
【図４】
0005614565.tif 000005
【図５】
0005614565.tif 000006
【図６】
0005614565.tif 000007
【図７】
0005614565.tif 000008
【図８】
0005614565.tif 000009
【図９】
0005614565.tif 000010
【図１０】
0005614565.tif 000011
【図１１】
0005614565.tif 000012
【図１２】
0005614565.tif 000013
【図１３】
0005614565.tif 000014